(57)【要約】      （修正有）【課題】スタンションの上に載置した消火器を係止し、スタンション上に消火器を設置することができる消火器の係止具を提供する。【解決手段】原子力発電所内の所定のエリアを区画するロープを支持するスタンション２の本体７への取り付け用のクランプ部と、消火器４の外装９と引掛け具１１との間の孔部１２に挿入されるフック１４とからなり、クランプ部が、上下位置調節及び着脱可能にスタンション２の本体７に取り付けられ、スタンション２のベース部６に載置される消火器４の孔部１２にフック１４を挿入することによって、消火器４をスタンション２に係止する消火器の係止具。【選択図】図７
0003114726.tif 000002
【実用新案登録請求の範囲】
【請求項１】
所定エリアを区画するロープ（１）を支持するスタンション（２）の杆状の本体（７）に取り付けられるクランプ部（１５）と、消火器（４）の外装（９）と引掛け具（１１）との間に形成される孔部（１２）に挿入可能なフック（１４）とからなり、フック（１４）がクランプ部（１５）に取り付けられ、クランプ部（１５）が、スタンション（２）の本体（７）に、上下位置調節及び着脱可能に取り付けられ、スタンション（２）における設置用のベース部（６）に載置される消火器（４）の孔部（１２）へのフック（１４）の挿入によって、消火器（４）をスタンション（２）に係止する消火器の係止具。
【請求項２】
クランプ部（１５）が、スタンション（２）の本体（７）が収容されるＵ字状に湾曲した湾曲部（１７）とフランジ（１８）とを備えたＵ字プレート（１３）と、両フランジ（１８）に着脱自在に固定され、Ｕ字プレート（１３）の湾曲部（１７）を閉じる押えプレート（１６）とからなる請求項１の消火器の係止具。
【請求項３】
Ｕ字プレート（１３）と押えプレート（１６）とが、ボルト（２７）及び蝶ナット（２８）によって固定される請求項２の消火器の係止具。
【請求項４】
湾曲部（１７）内に、湾曲部（１７）とスタンション（２）の本体（７）との間の隙間を埋める隙間詰め材（２９）を設けた請求項２又は３の消火器の係止具。
【請求項５】
フック（１４）が、階段状に湾曲又は屈曲したプレートからなる請求項１又は２又は３又は４の消火器係止具。
【請求項６】
フック（１４）の一端側がクランプ部（１５）への取付部を構成し、フック（１４）の他端側が孔部（１２）への挿入部を構成する請求項５の消火器の係止具。
【請求項７】
フック（１４）がクランプ部（１５）に着脱可能に取り付けられた請求項１又は２又は３又は４又は５又は６の消火器の係止具。
【請求項８】
フック（１４）における孔部（１２）への挿入部を、クランプ部（１５）に対して角度調節可能とした請求項１又は２又は３又は４又は５又は６又は７の消火器の係止具。
【請求項９】
フック（１４）とクランプ部（１５）との取付構造を、Ｕ字プレート（１３）の先端に、フック（１４）の取付部をボルト（２４）により取り付ける構成とした請求項２又は３又は４又は５又は６又は７又は８の消火器の係止具。
【請求項１０】
原子力発電所内において消火器の設置が必要な作業エリアを区画するために設置されたスタンション（２）に取り付けられた請求項１又は２又は３又は４又は５又は６又は７又は８又は９の消火器の係止具。
【考案の詳細な説明】
【技術分野】
【０００１】
本考案は、原子力発電所内において区画された所定の作業エリアに配置する消火器の係止具に関する。
【背景技術】
【０００２】
従来原子力発電所内での作業等に際して、必要に応じて作業エリアの区画が行われる。この区画は通常、スタンションを作業エリアの境界に複数設置し、各スタンションにロープを張ることによって行われる。特に作業が火気を使用する場合は、防火対策のために、作業期間中上記作業エリアには、消火器を設置する必要がある。
【０００３】
図１０に示されるように、ロープＡの近傍に、消火器Ｂを収容する消火器収容体Ｃを配置することにより、消火器を設置する方法が知られている。なお図１０におけるＤは、スタンションである。スタンションＤは、丸棒（杆）状の本体Ｅと、設置用の板状のベース部（ベース板）Ｆとを備えてなる。また先行技術文献について出願人の知り得るものはない。
【考案の開示】
【考案が解決しようとする課題】
【０００４】
上記消火器収容体は、単に消火器を単独で置く（設置する）場合に比較して、消火器の転倒等の不都合を防止することはできるが、消火器の設置に必要な面積が大きくなる。このため消火器収容体を使用すると、消火器の設置場所が限定されたり、消火器の設置のためにスペースを割いたりする必要があるという欠点があった。
【課題を解決するための手段】
【０００５】
上記課題を解決するための本考案の消火器の係止具は、原子力発電所内の所定エリアを区画するロープ１を支持するスタンション２の杆状の本体７に取り付けられるクランプ部１５と、消火器４の外装９と引掛け具１１との間に形成される孔部１２に挿入可能なフック１４とからなり、フック１４がクランプ部１５に取り付けられ、クランプ部１５が、スタンション２の本体７に、上下位置調節及び着脱可能に取り付けられ、スタンション２における設置用のベース部６に載置される消火器４の孔部１２へのフック１４の挿入によって、消火器４をスタンション２に係止することを第１の特徴としている。
【０００６】
第２に、クランプ部１５が、スタンション２の本体７が収容されるＵ字状に湾曲した湾曲部１７とフランジ１８とを備えたＵ字プレート１３と、両フランジ１８に着脱自在に固定され、Ｕ字プレート１３の湾曲部１７を閉じる押えプレート１６とからなることを特徴としている。
【０００７】
第３に、Ｕ字プレート１３と押えプレート１６とが、ボルト２７及び蝶ナット２８によって固定されることを特徴としている。
【０００８】
第４に、湾曲部１７内に、湾曲部１７とスタンション２の本体７との間の隙間を埋める隙間詰め材２９を設けたことを特徴としている。
【０００９】
第５に、フック１４が、階段状に湾曲又は屈曲したプレートからなることを特徴としている。
【００１０】
第６に、フック１４の一端側がクランプ部１５への取付部を構成し、フック１４の他端側が孔部１２への挿入部を構成することを特徴としている。
【００１１】
第７に、フック１４がクランプ部１５に着脱可能に取り付けられたことを特徴としている。
【００１２】
第８に、フック１４における孔部１２への挿入部を、クランプ部１５に対して角度調節可能としたことを特徴としている。
【００１３】
第９に、フック１４とクランプ部１５との取付構造を、Ｕ字プレート１３の先端に、フック１４の取付部をボルト２４により取り付ける構成としたことを特徴としている。
【００１４】
第１０に、原子力発電所内において消火器の設置が必要な作業エリアを区画するために設置されたスタンション２に取り付けられたことを特徴としている。
【考案の効果】
【００１５】
以上のように構成される本考案の構造によると、スタンションに支持されるロープによって区画された所定エリア、例えば原子力発電所内等の消火器の設置が必要な作業エリアにおいてに、消火器をスタンションに係止して配置することができる。消火器はスタンションのベース部上に載置されているため、消火器の設置用の専用の設置エリアを設ける必要がない。また消火器はスタンションの本体に係止されるため、設置状態において転倒が防止される。
【００１６】
消火器には様々なタイプがあり、各タイプに応じて引掛け具の高さが異なり、孔部の位置が異なる。これに対して本考案の係止具におけるＵ字プレートは、スタンションの本体が収容されるＵ字状に湾曲した湾曲部とフランジとを備えたＵ字プレートと、両フランジに着脱自在に固定され、Ｕ字プレートの湾曲部を閉じる押えプレートとから構成する等により、スタンションの本体に対して上下位置調節可能に構成されている。
【００１７】
これにより各消火器に対応する高さに係止具を取り付けて、様々なタイプの消火器をスタンションに係止して設置することができる。なおＵ字プレートと押えプレートとを、ボルト及び蝶ナットによって固定するように構成すると、蝶ナットの緩締によって、特別な工具を用いることなく、Ｕ字プレートのスタンションの本体に対するスライド，位置決め，着脱を容易に行うことができる。
【００１８】
湾曲部内に、湾曲部とスタンションの本体との間の隙間を埋める隙間詰め材を設けることにより、スタンションの本体に対してＵ字プレートを強固に取り付けることができる他、スタンションの本体が比較的細い場合でも、Ｕ字プレートを取り付けることができ、様々なスタンションに本係止具を取り付け、消火器を係止して設置することができる。
【００１９】
一方フックを、階段状に湾曲又は屈曲したプレートから構成することによって、一端側がＵ字プレートへの取付部、他端側が孔部への挿入部を構成するフックを簡単に構成することができる。
【００２０】
フックの取付部をＵ字プレートに着脱可能に取り付けることができるように構成することによって、フック又はＵ字プレートの単体での交換が可能となる。これによりフックやＵ字プレートが別々に破損した場合でも、単品での交換ができる他、挿入部の長さが異なるフックを交換して簡単に使用することができる。
【００２１】
そしてスタンションのベース部に、複数消火器を載置するとともに、スタンションの本体に本考案の係止具を複数取り付け、各係止具のフックを挿入部の長さが異なるものとすることにより、各消火器に対応する各係止具によって、各消火器をスタンションに係止することができ、複数の消火器をスタンションに設置することができる。
【００２２】
スタンションには本体の途中が鉛直方向に対して傾斜しているタイプのものがある。この場合消火器の孔部が、スタンションの本体の傾斜部分に位置するケースがある。これに対してフックにおける孔部への挿入部を、Ｕ字プレートに対して角度調節可能とすることによって、本係止具をスタンションの傾斜した本体に取り付けても、挿入部を鉛直方向に向けることにより、消火器の孔部に挿入部を挿入することができる。これにより上記タイプのスタンションにも、消火器を係止状態で載置することができる。
【００２３】
なおフックとＵ字プレートとの取付構造を、Ｕ字プレートの先端に、フックの取付部をボルトにより取り付ける構成とすることによって、フックとＵ字プレートとの着脱を容易に行うことができる他、フックにおける挿入部のＵ字プレートに対する角度調節を容易に行うことができる。
【考案を実施するための最良の形態】
【００２４】
図１は原子力発電所内において、所定の作業エリアがロープ１とスタンション２によって区画されている部分の一部を示す。なおスタンション２は、作業エリアを囲むように複数配置されているが、従来公知であるため、複数配置状態は図示しない。本考案の係止具３を使用して、消火器４がスタンション２に係止されて設置されている。
【００２５】
スタンション２は、設置用の平板状のベース部（ベース板）６と、該ベース板６に固定されて立設する杆状の本体である丸棒７とからなる。丸棒７の上端部分にはロープ１を受けるＵ字状をなす受け８が設けられている。スタンション２は従来公知のものであるため、詳細な説明は割愛する。
【００２６】
図２，図３に示されるように、消火器４には、外装９に引掛け具１１が一体的に装着されている。該引掛け具１１は鋼鈑等の金属板の折り曲げによって形成されている。引掛け具１１は消火器４の外装９の上端部付近に両端部が取り付けられている。該引掛け具１１と消火器４の外装９との間には、矩形状のフック挿入孔１２が形成されている。上記引掛け具１１は、通常市販されている多くの消火器に設けられている。
【００２７】
図４，図５は、本考案の係止具３の斜視図と分解斜視図である。該係止具３は、平面視でＵ字状に湾曲したＵ字プレート１３と、側面視で階段状に屈曲したプレートからなるフック１４と、平板状の押えプレート１６とからなる。Ｕ字プレート１３は平面視で略Ｕ字状に湾曲した湾曲部１７と、該湾曲部１７の左右両側に突出するフランジ１８とを備えた形状となっている。
【００２８】
Ｕ字プレート１３の湾曲部１７の左右中央には、フック１４の取り付け用のフック取付孔１９が設けられている。Ｕ字プレート１３の両フランジ１８には、押さえプレート１６の取り付け用のプレート取付孔２１が設けられている。押さえプレート１６には、プレート取付孔２１に相対する位置にＵ字プレート１３への取り付け用のクランプ取付孔２２が設けられている。
【００２９】
フック１４の一端側は、Ｕ字プレート１３への取付部を構成し、Ｕ字プレート１３への取り付け用の取付孔２３が設けられている。フック１４の取付孔２３とＵ字プレート１３のフック取付孔１９とを一致させることにより、フック１４の取付孔２３とＵ字プレート１３のフック取付孔１９とを介して、フック１４とＵ字プレート１３とを、ボルト２４とナット２６とによって固定することができる。
【００３０】
フック１４の先端のＵ字プレートに対する向きは、ボルト２４とナット２６とによって、Ｕ字プレート１３にフック１４を締め付け固定するときのフック１４の向きによって決まる。フック１４の先端の向きは上向きから下向きまで無段階に自由に調節することができる。
【００３１】
Ｕ字プレート１３の湾曲部１７の突出方向の反対側に押えプレート１６密着させ、孔位置が一致するプレート取付孔１８とクランプ取付孔２２を使用して、Ｕ字プレート１３と押えプレート１６とをボルト固定することができる。本実施形態においては、六角穴付きボルト２７と蝶ナット２８とによってＵ字プレート１３と押えプレート１６とが固定されている。
【００３２】
上記Ｕ字プレート１３と押えプレート１６との固定により、湾曲部１７の開口部分が閉じられ、押えプレート１６とＵ字プレート１３の湾曲部１７とによって、スタンション２の丸棒７を通過させる空間が形成される。
【００３３】
このため図５に示されるように、湾曲部１７内にスタンション２の丸棒７を収容した状態で、Ｕ字プレート１３と押えプレート１６とを固定することによって、本係止具３がスタンション２（丸棒７）に取り付けられる。Ｕ字プレート１３と押えプレート１６とによりスタンション２の丸棒７を挟持し、係止具３をスタンション２（丸棒７）に取り付けるクランプ部１５が、Ｕ字プレート１３と押えプレート１６とによって構成されている。
【００３４】
湾曲部１７と丸棒７との間に、フェルト等からなる隙間詰め材２９を詰め、湾曲部１７と丸棒７との間の隙間を埋めることによって、本係止具３を丸棒７に強固に固定し、本係止具３の丸棒７からの滑り落ちを防止することもできる。上記隙間詰め材２９を使用することによって、本係止具３を湾曲部１７内に収容できる様々な径の丸棒に容易に取り付けることが可能となる。
【００３５】
スタンション２に対する係止具３の位置は、Ｕ字プレート１３と押えプレート１６との固定を緩め、係止具３を丸棒７に対して上下スライドさせ、所定位置でＵ字プレート１３と押えプレート１６とを固定することによって、自由に調節することができる。
【００３６】
本実施形態においては、Ｕ字プレート１３と押えプレート１６とが、六角穴付きボルト２７と蝶ナット２８とによって固定されているため、蝶ナット２８によって特別な工具を用いることなく、Ｕ字プレート１３と押えプレート１６との諦緩作業を容易に行い、Ｕ字プレート１３のスタンション２の丸棒７に対するスライド，位置決め，着脱を容易に行うことができる。
【００３７】
上記のように隙間詰め材２９を使用する場合、隙間詰め材２９がフェルト等のように摩擦力に抗して力をかけるとスライドを許容するような材料からなる場合は、Ｕ字プレート１３と押えプレート１６との固定を緩めることなく、係止具３の位置調節を行うことができる場合もある。
【００３８】
上記フック１４の先端部分は、消火器４の引掛け具１１によって形成される矩形状のフック挿入孔１２に上方又は下方から挿入することができる挿入部を構成している。図６に示されるように、フック１４（挿入部）をフック挿入孔１２に挿入した状態で、スタンション２のベース板６に消火器４を載置することによって、消火器の転倒を防止してスタンション２の上に消火器４を設置することができる。
【００３９】
消火器４をベース板６の上に載置した後、係止具３を下方から上方にスライドさせてフック１４をフック挿入孔１２に挿入し、係止具３をスタンション２の丸棒７に固定したり、フック挿入孔１２にフック１４を挿入しながら消火器４を上方からベース板上に載置したりすることによって、フック１４をフック挿入孔１２に挿入した状態で、スタンション２のベース板６に消火器４を載置することができる。
【００４０】
これにより消火器収容体を使用して消火器を設置する場合に比較して、消火器４の設置専用の場所をとる必要がなく、消火器４を必ず必要となるスタンション２の設置範囲内にコンパクトに設置することができる。そして設置された消火器４は、係止具３によって、スタンション２の丸棒７に係止されるため、転倒が防止され、安定設置が可能である。
【００４１】
なおフック１４は、ボルト２４とナット２６とによって、Ｕ字プレート１３に着脱可能に取り付けられるため、フック１４又はクランプ部１５の構成部品（Ｕ字プレート１３及び押えプレート１６）単体での交換が可能となる。これによりフック１４やクランプ部１５が別々に破損した場合でも、単品での交換ができる。
【００４２】
上記のようにフック１４がフック挿入孔１２に下方から挿入された状態では、スタンション２を持上げてもフック１４がフック挿入孔１２から抜けることはない。このためスタンション２を持って、スタンション２と消火器４を一体的に移動させることもできる。
【００４３】
なお消火器には様々なタイプがあり、各タイプに応じて引掛け具１１の高さが異なり、フック挿入孔１２の位置が異なる。これに対して本係止具３におけるＵ字プレート１３は、スタンション２の丸棒７に対して上下位置調節可能となっているため、各消火器に対応する高さに係止具３を取り付けて、様々なタイプの消火器をスタンション２に係止して設置することができる。
【００４４】
本係止具３は、Ｕ字プレート１３と押えプレート１６とによってスタンション２の丸棒７を挟持することによりスタンション２に取り付けられるため、スタンション２の丸棒７に複数個取り付けることができる。ただし全て取付高さ位置を異ならせる必要はある。
【００４５】
このため図７に示されるように、各係止具３にそれぞれ先端部分（挿入部）の長さが異なるフック１４を使用し、スタンション２の丸棒７に取り付けられた各係止具３のフック１４を、複数の消火器３の各フック挿入孔１２に挿入することによって、複数の消火器４をスタンション２のベース板６の上に設置することができる。
【００４６】
Ｕ字プレート１３に対してフック１４を簡単に着脱することができるため、挿入部の長さが異なるフック１４を交換して簡単に使用することができる。スタンション２のベース板６の上に載置することができる最大数の消火器４を、係止具３によってスタンション２の丸棒７に係止させた状態で設置することができる。
【００４７】
フック１４は１本のボルト２４によってＵ字プレート１３に取り付けられているため、Ｕ字プレート１３に対してフック１４を傾斜して取り付けることができる。ボルト２４とナット２６による締め付け時にフック１４を傾斜させることによって、フック１４を傾斜して取り付けることができる。
【００４８】
これにより図８に示されるように途中部分が傾斜した傾斜部３１をなす丸棒７を備えたスタンション２の場合でも、Ｕ字プレート１３と押えプレート１６によって本係止具３を、丸棒７の傾斜部３１に取り付け、フック１４を先端（挿入部）が鉛直上向きとなるようにＵ字プレート１３に対して傾斜させることによって、フック１４をフック挿入孔１２に挿入して消火器４をスタンション２のベース板６の上に設置することができる。
【００４９】
図９に示されるように、フック１４の先端部分（挿入部）が鉛直下方を向くように、フック１４をＵ字プレート１３に取り付けることもできる。この場合フック１４をフック挿入孔１２に上方から挿入して、スタンション２のベース板６の上に設置された消火器４を係止することができる。
【００５０】
消火器４をベース板６の上に載置した後、係止具３を上方から下方にスライドさせてフック１４をフック挿入孔１２に挿入し、スタンション２の丸棒７に固定することによって、フック１４をフック挿入孔１２に上方から挿入することができる。
【００５１】
フック１４がフック挿入孔１２に上方から挿入された状態では、消火器４を持上げてもフック１４がフック挿入孔１２から抜けることはないため、消火器４を持って、消火器４とスタンション２とを一体的に移動させることができる。
【図面の簡単な説明】
【００５２】
【図１】原子力発電所内において、所定の作業エリアがロープとスタンションによって区画されている部分の一部を示す図である。
【図２】消火器の側面図である。
【図３】消火器の平面図である。
【図４】本係止具の斜視図である。
【図５】本係止具の分解斜視図である。
【図６】消火器の設置状態を示す側面図である。
【図７】複数の消火器を設置した状態を示す側面図である。
【図８】傾斜部分を持つスタンションに本係止具を取り付けて消火器を係止した状態を示す背面図である。
【図９】消火器の他の設置状態を示す側面図である。
【図１０】消火器収容体を使用して消火器を設置した状態を示す図である。
【符号の説明】
【００５３】
１    ロープ
２    スタンション
４    消火器
６    ベース板（ベース部）
７    丸棒（本体）
９    外装
１１  引掛け具
１２  フック挿入孔（孔部）
１３  Ｕ字プレート
１４  フック
１５  クランプ部
１６  押えプレート
１７  湾曲部
１８  フランジ
２４  ボルト
２７  六角孔付きボルト（ボルト）
２８  蝶ナット
２９  隙間詰め材
【図２】
0003114726.tif 000003
【図３】
0003114726.tif 000004
【図４】
0003114726.tif 000005
【図５】
0003114726.tif 000006
【図６】
0003114726.tif 000007
【図７】
0003114726.tif 000008
【図８】
0003114726.tif 000009
【図９】
0003114726.tif 000010
【図１】
0003114726.tif 000011
【図１０】
0003114726.tif 000012